(57)【要約】      （修正有）【課題】市販のトルクレンチをそのまま使用し、ドラム缶の蓋を所定のトルクで締め付けることが可能なドラム缶の蓋締め付け具を提供する。  【解決手段】ねじ取付けされたドラム缶１１の蓋１２を締め付ける道具１０であって、ドラム缶１１の蓋１２の非円形部１３に係合する蓋係合金具１４と、蓋係合金具１４と一体となってしかも蓋係合金具１４と軸心を合わせて形成されたトルクレンチの作動軸が装着される角穴３０を備えたトルクレンチ係合部１５とを有している。【選択図】図１
0003136345.tif 000002
【実用新案登録請求の範囲】
【請求項１】
ねじ取付けされたドラム缶の蓋を締め付ける道具であって、
前記ドラム缶の蓋の非円形部に係合する蓋係合金具と、該蓋係合金具と一体となってしかも該蓋係合金具と軸心を合わせて形成されたトルクレンチの作動軸が装着される角穴を備えたトルクレンチ係合部とを有していることを特徴とするドラム缶の蓋締め付け具。
【請求項２】
請求項１記載のドラム缶の蓋締め付け具において、前記蓋の非円形部は該蓋の周囲に形成されている平面視して正六角形の外周部であることを特徴とするドラム缶の蓋締め付け具。
【請求項３】
請求項２記載のドラム缶の蓋締め付け具において、前記蓋係合金具は、前記正六角形の外周部の対辺が嵌入する平行部を備えることを特徴とするドラム缶の蓋締め付け具。
【考案の詳細な説明】
【技術分野】
【０００１】
本考案はドラム缶の天井板部に設けられている大小の六角形蓋の締め付けに主として用いられるドラム缶の蓋締め付け具に関する。
【背景技術】
【０００２】
ドラム缶の天井板部には大小２つのステンレス製の蓋が設けられているが、いずれも下部に雄ねじを有し、上部には中窪みの六角形のフランジが設けられている。この蓋の開閉にあっては、六角形のフランジの対辺の内幅を有するスパナ状の工具を用いて人力で行っていた。
なお、ドラム缶の蓋については、このような六角形の蓋の他に、円形のフランジの内側を円形に窪ませ、内部に対向する突起を配置したものも使用され、このような蓋の開閉具については、例えば、特許文献１、特許文献２に開示されている。
【０００３】
【特許文献１】実開平６−１５９７１号公報
【特許文献２】特開２００５−２８９４５３号公報
【特許文献３】特開２００１−１７９６５０号公報
【考案の開示】
【考案が解決しようとする課題】
【０００４】
しかしながら、ドラム缶の蓋を例えば特許文献１、２に記載の開閉具を使用しても、最終的には人力を使って蓋を締めるのであるから、人によって蓋の締め付けにバラツキが生じるという問題があった。勿論、特許文献１、２記載の工具を用い、締め付けトルクを測定することも可能であるが、装置が複雑化し手間であるという問題があった。
一方、特許文献３に記載のように、ボルトやナット等の締め付けトルクを測るトルクレンチが市販されている。そこで、市販のトルクレンチをそのまま用い、ドラム缶の蓋を簡便に所定のトルクで締め付けることが可能なドラム缶の蓋締め付け具を考え、本考案を完成した。
【０００５】
本考案はかかる事情に鑑みてなされたもので、市販のトルクレンチをそのまま使用し、ドラム缶の蓋を所定のトルクで締め付けることが可能なドラム缶の蓋締め付け具を提供することを目的とする。
【課題を解決するための手段】
【０００６】
前記目的に沿う本考案に係るドラム缶の蓋締め付け具は、ねじ取付けされたドラム缶の蓋を締め付ける道具であって、
前記ドラム缶の蓋の非円形部に係合する蓋係合金具と、該蓋係合金具と一体となってしかも該蓋係合金具と軸心を合わせて形成されたトルクレンチの作動軸が装着される角穴を備えたトルクレンチ係合部とを有している。
【０００７】
本考案に係るドラム缶の蓋締め付け具において、前記蓋の非円形部は、例えば、該蓋の周囲に形成されている平面視して正六角形の外周部である。このドラム缶の蓋締め付け具において、前記蓋係合金具は、例えば、前記正六角形の外周部の対辺が嵌入する平行部を備えている。
【考案の効果】
【０００８】
請求項１〜３記載のドラム缶の蓋締め付け具において、ドラム缶の蓋の非円形部に係合する蓋係合金具と、蓋係合金具と軸心を合わせて形成されたトルクレンチの作動軸が装着される角穴を備えたトルクレンチ係合部とが一体となっているので、ドラム缶の蓋の非円形部に蓋係合金具を装着した後、市販のトルクレンチの作動軸をトルクレンチ係合部に装着して、所定方向（通常、時計方向）にドラム缶の蓋を回転させることによって、蓋がねじ込まれ、これと同時にトルクレンチによって締め付けトルクを測定できる。
従って、作業者によらずドラム缶の蓋を所定のトルクで締め付けることができる。
【０００９】
請求項２記載のドラム缶の蓋締め付け具においては、蓋の非円形部は、蓋の周囲に形成されている平面視して正六角形の外周部であるので、この六角部分に蓋係合金具を合わせればよい（具体的には、蓋係合金具を正六角形状、又は平行面を有する形状にする）。
【００１０】
請求項３記載のドラム缶の蓋締め付け具においては、蓋係合金具は、正六角形の外周部の対辺が嵌入する平行部を備えているので、製造が容易であると共に、正六角形の外周部の精度が多少悪くても、確実に蓋係合金具をドラム缶の蓋に係合させることができる。
【考案を実施するための最良の形態】
【００１１】
続いて、添付した図面を参照しつつ、本考案を具体化した実施の形態につき説明し、本考案の理解に供する。
ここで、図１（Ａ）は本考案の第１の実施の形態に係るドラム缶の蓋締め付け具の斜視図、（Ｂ）は大蓋の斜視図、図２は同ドラム缶の蓋締め付け具の使用状態を示す平面図、図３（Ａ）は本考案の第２の実施の形態に係るドラム缶の蓋締め付け具の斜視図、（Ｂ）は小蓋の斜視図である。
【００１２】
図１（Ａ）に示すように、本考案の第１の実施の形態に係るドラム缶の蓋締め付け具１０は、図１（Ｂ）、図２に示すドラム缶１１の大蓋１２の正六角形の外周部（非円形部の一例）１３に係合する蓋係合金具１４と、この蓋係合金具１４と一体となったトルクレンチ係合部１５とを有している。以下、これらについて説明する。
【００１３】
ドラム缶１１の天井板１６には、図２に示すように大小の雌ねじ開口部１７、１８を有し、この開口部１７、１８にはステンレス製の大蓋１２（図１参照）と小蓋１９（図３参照）がそれぞれ螺合している。大蓋１２と小蓋１９の下部にはそれぞれ雌ねじ開口部１７、１８に螺合する雄ねじ２０、２１が形成されている。
大蓋１２と小蓋１９の上部には、外周部１３、２２が平面視して正六角形のフランジ２３、２４が設けられ、このフランジ２３、２４の中央には平面視して円形の窪み２５、２６が形成されている。
【００１４】
前記したドラム缶の蓋締め付け具１０においては、蓋係合金具１４は板厚が３〜４ｍｍ、幅が４０ｍｍの鋼板（鉄板又はステンレス板）を溝形形状に折り曲げて形成され、正六角形のフランジ２３の対辺が嵌入する平行部２８の幅は７３ｍｍとなって、大蓋１２の対辺の公称幅７０ｍｍより僅少の範囲で大きくなっている。また、平行部２８の有効高さは１０ｍｍとなって、フランジ２３の高さ３ｍｍより十分大きくなっている。
【００１５】
一方、トルクレンチ係合部１５は直径が４０ｍｍで高さが２５〜３５ｍｍの鋼製丸棒２９の中央に角穴３０が形成されている。この角穴３０の断面は一辺が１２ｍｍの正方形によって形成され、市販のトルクレンチ３１（図２参照）の断面四角形の作動軸が嵌入するようになっている。トルクレンチ係合部１５は蓋係合金具１４の上にそれぞれの軸心を合わせた状態で溶接されている。なお、蓋係合金具１４と軸心を合わせて形成された角穴３０はトルクレンチ３１の作動軸が完全に嵌入すればよいので、鋼製丸棒２９の途中位置まで角穴３０が形成されていてもよいし、上下に貫通していてもよい。
【００１６】
従って、このドラム缶の蓋締め付け具１０を使用する場合は、大蓋１２を雌ねじ開口部１７にある程度ねじ込んでおき、図２に示すように、トルクレンチ３１の作動軸を角穴３０に装着した状態で、ドラム缶の蓋締め付け具１０を、平行部２８がフランジ２３の正六角形の外周部１３に嵌まるようにして大蓋１２の上に被せる。この状態で、トルクレンチ３１を利用して、その締め付けトルクを測定しながら、大蓋１２を所定のトルクまで締め付け、作業が完了する。なお、大蓋１２を外す場合にもこのドラム缶の蓋締め付け具１０及びトルクレンチ３１を使用することは自由であるが、トルクを測定する必要がないので、通常のスパナ状の工具で十分である。
【００１７】
続いて、図３（Ａ）、（Ｂ）を参照しながら、本考案の第２の実施の形態に係るドラム缶の蓋締め付け具３５について説明する。
このドラム缶の蓋締め付け具３５は全体が鋼材（鉄又はステンレス）を機械加工又は溶接構造によって形成され、下部の蓋係合金具３６とこれと一体となった上部のトルクレンチ係合部３７とを有している。
【００１８】
蓋係合金具３６は直径が５０ｍｍの円板状の板材３８の底部に平行部３９が形成されている。この平行部３９は２本の平行配置された長尺材４０、４１から構成され、その内幅は４０ｍｍとなって、小蓋１９の正六角形のフランジ２４の対辺（寸法３７ｍｍ）が遊嵌する寸法となっている。なお、長尺材４０、４１の幅は３ｍｍ、高さは８ｍｍ、長さは２０ｍｍとなっている。
【００１９】
板材３８の上部には、トルクレンチ係合部３７が設けられているが、このトルクレンチ係合部３７は、第１の実施の形態で説明したトルクレンチ係合部１５と同一であるので、同一の番号を付して詳しい説明を省略する。
【００２０】
従って、このドラム缶の蓋締め付け具３５を使用する場合は、小蓋１９を雌ねじ開口部１８にねじ込んでおき、トルクレンチ３１の作動軸を角穴３０に装着した状態で、ドラム缶の蓋締め付け具３５を小蓋１９の上に被せる。このとき、平行部３９はフランジ２４の正六角形の外周部２２に嵌まるようにしておく。この状態で、トルクレンチ３１を利用して、その締め付けトルクを測定しながら、小蓋１９を所定のトルクまで締め付け、作業が完了する。
【００２１】
前記実施の形態においては、理解を容易にするため具体的な寸法を用いて説明したが、本考案の要旨を変更しない範囲で寸法変更は可能である。
また、この実施の形態においては、ドラム缶の蓋締め付け具１０、３５は溶接構造であったが、機械加工によって部材から削り出すことも可能である。
更には、この考案は特定形状のドラム缶の蓋について説明したが、ドラム缶の蓋に非円形部を有するものであれば、他の形状のドラム缶の蓋であっても本考案を適用することができる。
【図面の簡単な説明】
【００２２】
【図１】（Ａ）は本考案の第１の実施の形態に係るドラム缶の蓋締め付け具の斜視図、（Ｂ）は大蓋の斜視図である。
【図２】同ドラム缶の蓋締め付け具の使用状態を示す平面図である。
【図３】（Ａ）は本考案の第２の実施の形態に係るドラム缶の蓋締め付け具の斜視図、（Ｂ）は小蓋の斜視図である。
【符号の説明】
【００２３】
１０：ドラム缶の蓋締め付け具、１１：ドラム缶、１２：大蓋、１３：外周部、１４：蓋係合金具、１５：トルクレンチ係合部、１６：天井板、１７、１８：雌ねじ開口部、１９：小蓋、２０、２１：雄ねじ、２２：外周部、２３、２４：フランジ、２５、２６：窪み、２８：平行部、２９：鋼製丸棒、３０：角穴、３１：トルクレンチ、３５：ドラム缶の蓋締め付け具、３６：蓋係合金具、３７：トルクレンチ係合部、３８、板材、３９：平行部、４０、４１：長尺材
【図１】
0003136345.tif 000003
【図２】
0003136345.tif 000004
【図３】
0003136345.tif 000005